(57)【要約】  侵入する油あるいは溶剤によって固定爪または爪受けに生じるクレージングが防止できる空気調和装置の室内機を提供する。空気調和装置の室内機は、背面ケーシングと、前側ケーシングと、を備え、上壁が設けられ、重ね代部が設けられ、固定爪が設けられ、爪受けが設けられ、上壁は、固定爪よりも前方に前方部分を有し、爪受けは、重ね代部から後方に突出し、重ね代部における爪受けの前方には、上方に開口する凹部が形成された。
2017126071.tif 000002
【特許請求の範囲】
【請求項１】
熱交換器および送風ファンを前側に取り付ける背面ケーシングと、
前記背面ケーシングの前側にて前記熱交換器および前記送風ファンを取り囲む前側ケーシングと、
を備え、
前記背面ケーシングの上部には、前方に突出する上壁が設けられ、
前記前側ケーシングの上部には、後方に突出して前記上壁の下に重ねられる重ね代部が設けられ、
前記背面ケーシングの前記上壁には、下面から下方に突出する固定爪が設けられ、
前記前側ケーシングには、前記固定爪の下側から前記固定爪を係止する爪受けが設けられ、
前記上壁は、前記固定爪よりも前方に前方部分を有し、
前記爪受けは、前記重ね代部から後方に突出し、
前記重ね代部における前記爪受けの前方には、上方に開口する凹部が形成された空気調和装置の室内機。
【請求項２】
前記凹部は、前記固定爪が前記爪受けに係止された際に、前記上壁の前方端縁を前後方向にまたぐ前後幅を有する請求項１に記載の空気調和装置の室内機。
【請求項３】
前記凹部は、前記爪受けの左右幅よりも広い左右幅を有する請求項１または２に記載の空気調和装置の室内機。
【請求項４】
前記重ね代部は、前記固定爪が前記爪受けに係止された際に、上面を前記上壁の下面に接触させて前記上壁の下に重ねられる請求項１〜３のいずれか１項に記載の空気調和装置の室内機。
【請求項５】
前記上壁および前記重ね代部は、前記空気調和装置の室内機の左右両端部までの間にわたって設けられた請求項１〜４のいずれか１項に記載の空気調和装置の室内機。
【請求項６】
前記背面ケーシングおよび前記前側ケーシングは、非晶性プラスチックで成形された請求項１〜５のいずれか１項に記載の空気調和装置の室内機。
【請求項７】
前記固定爪および前記爪受けは、複数設けられ、前記前側ケーシングから受ける応力が分散される請求項１〜６のいずれか１項に記載の空気調和装置の室内機。
【請求項８】
前記前側ケーシングは、前記重ね代部よりも前方に天面意匠パネルを有し、
前記重ね代部は、前記天面意匠パネルに対して前記上壁の厚み分だけ下方に設けられ、
前記上壁の上面および前記天面意匠パネルの上面は、前記固定爪が前記爪受けに係止された際に、面一に構成された請求項１〜７のいずれか１項に記載の空気調和装置の室内機。
【発明の詳細な説明】
【技術分野】
【０００１】
本発明は、前側ケーシングを背面ケーシングに取り付ける固定爪と爪受けとを備えた空気調和装置の室内機に関する。
【背景技術】
【０００２】
空気調和装置の室内機では、背面ケーシングの上壁から下側に突出している固定爪が前側ケーシングから突出している爪受けに係止される。このように固定爪が爪受けに係止されることにより、前側ケーシングが背面ケーシングに取り付けられる。
特許文献１には、固定爪と爪受けとを用い、前側ケーシングが背面ケーシングに取り付けられた技術が開示されている。
【先行技術文献】
【特許文献】
【０００３】
【特許文献１】特開平１０−１３２３１７号公報
【発明の概要】
【発明が解決しようとする課題】
【０００４】
空気調和装置の室内機は、大量生産される製品である。このため、空気調和装置の室内機の製造では、金型の摩耗が生じている。また、空気調和装置の室内機の製造では、人の手によって組立が行われる。
したがって、背面ケーシングと前側ケーシングとの上端の合わせ部には、成形バラつきあるいは組立バラつきが存在するため、隙間が生じ易い。このように生じる隙間を完全に防ぐことは、困難である。【０００５】
空気調和装置の室内機が設置される場所によっては、たとえばすぐ近くにキッチンがあったり、その部屋で油あるいは溶剤を使うような所であったりする場合がある。この場合には、室内に飛散した油あるいは溶剤が背面ケーシングと前側ケーシングとの上端の合わせ部の隙間から空気調和装置の室内機内に侵入する可能性がある。
侵入した油あるいは溶剤は、背面ケーシングと前側ケーシングとを係止する固定爪および爪受けの位置に到達することがある。【０００６】
背面ケーシングと前側ケーシングとは、非晶性プラスチックで成形された部品である。このような非晶性プラスチックは、油あるいは溶剤が応力のかかっているところに付着すると、プラスチック自身が持つ破断強度よりもはるかに低い応力で破壊される現象が起こる。以下、本明細書ではこの破壊現象をクレージングと称する。【０００７】
固定爪と爪受けとには、前側ケーシングを支持することによる応力がかかっている。このため、侵入した油あるいは溶剤によってクレージングが固定爪または爪受けに発生する場合がある。クレージングが固定爪または爪受けに発生すると、前側ケーシングが背面ケーシングから外れてしまうおそれがある。【０００８】
本発明は、上記課題を解決するためのものであり、侵入する油あるいは溶剤によって固定爪または爪受けに生じるクレージングが防止できる空気調和装置の室内機を提供することを目的とする。
【課題を解決するための手段】
【０００９】
本発明に係る空気調和装置の室内機は、熱交換器および送風ファンを前側に取り付ける背面ケーシングと、前記背面ケーシングの前側にて前記熱交換器および前記送風ファンを取り囲む前側ケーシングと、を備え、前記背面ケーシングの上部には、前方に突出する上壁が設けられ、前記前側ケーシングの上部には、後方に突出して前記上壁の下に重ねられる重ね代部が設けられ、前記背面ケーシングの前記上壁には、下面から下方に突出する固定爪が設けられ、前記前側ケーシングには、前記固定爪の下側から前記固定爪を係止する爪受けが設けられ、前記上壁は、前記固定爪よりも前方に前方部分を有し、前記爪受けは、前記重ね代部から後方に突出し、前記重ね代部における前記爪受けの前方には、上方に開口する凹部が形成されたものである。
【発明の効果】
【００１０】
本発明に係る空気調和装置の室内機によれば、重ね代部における爪受けの前方には、上方に開口する凹部が形成された。これにより、背面ケーシングと前側ケーシングとの上端の合わせ部に成形バラつきあるいは組立バラつきにより隙間が生じ、油あるいは溶剤がその隙間から侵入しても、油あるいは溶剤が凹部に付着して貯留される。そのため、侵入した油あるいは溶剤は、応力がかかっている固定爪および爪受けに到達しない。したがって、侵入する油あるいは溶剤によって固定爪または爪受けに生じるクレージングが防止できる。
よって、固定爪または爪受けに生じるクレージングの影響を考慮する必要がなくなる。空気調和装置の室内機が設置される場所は、たとえばすぐ近くにキッチンがあったり、その部屋で油あるいは溶剤を使うような所であったりする場合でもよく、設置場所を考慮する必要がなくなる。
【図面の簡単な説明】
【００１１】
【図１】本発明の実施の形態に係る空気調和装置の室内機を示す斜視図である。
【図２】本発明の実施の形態に係る空気調和装置の室内機における図１のＺ−Ｚ断面を示す説明図である。
【図３】本発明の実施の形態に係る空気調和装置の室内機の全体を分解して示す斜視図である。
【図４】本発明の実施の形態に係る背面ケーシングおよび前側ケーシングを示す斜視図である。
【図５】本発明の実施の形態に係る背面ケーシングおよび前側ケーシングを示す上面図である。
【図６】本発明の実施の形態に係る背面ケーシングの固定爪を示す斜視図である。
【図７】本発明の実施の形態に係る背面ケーシングの固定爪における図６のＸ−Ｘ断面を示す説明図である。
【図８】本発明の実施の形態に係る前側ケーシングの爪受けを示す斜視図である。
【図９】本発明の実施の形態に係る前側ケーシングの爪受けにおける図８のＹ−Ｙ断面を示す説明図である。
【図１０】本発明の実施の形態に係る固定爪が爪受けに係止された状態の断面を図２のＡ部を拡大して示す説明図である。
【発明を実施するための形態】
【００１２】
以下、図面に基づいて本発明の実施の形態について説明する。
なお、各図において、同一の符号を付したものは、同一のまたはこれに相当するものであり、これは明細書の全文において共通している。
さらに、明細書全文に示されている構成要素の形態は、あくまで例示であってこれらの記載に限定されるものではない。
【００１３】
実施の形態．
図１は、本発明の実施の形態に係る空気調和装置の室内機１００を示す斜視図である。図２は、本発明の実施の形態に係る空気調和装置の室内機１００における図１のＺ−Ｚ断面を示す説明図である。図３は、本発明の実施の形態に係る空気調和装置の室内機１００の全体を分解して示す斜視図である。
【００１４】
空気調和装置の室内機１００は、回転速度を制御可能なインバータ駆動の圧縮機、四方弁、凝縮側熱交換器、減圧装置、蒸発側熱交換器を接続して構成され、四方弁の切換により冷房運転および暖房運転が可能な壁掛け型の室内機である。
【００１５】
図１〜図３に示すように、空気調和装置の室内機１００は、裏板１０と、裏板１０に固定される背面ケーシング２０と、背面ケーシング２０に取り付けられる内部部品３０と、室内機１００の意匠面を構成する前側ケーシング４０と、を備えている。
背面ケーシング２０および前側ケーシング４０は、非晶性プラスチックで成形された部品である。
【００１６】
背面ケーシング２０には、内部部品３０が取り付けられる。内部部品３０は、凸湾曲状の熱交換器３１と、熱交換器３１の空気流の下流に位置する送風ファン３２と、図示しない電装箱と、を有する。熱交換器３１の前面側下方には、熱交換器３１からの結露水を受けるドレンパン３３が形成されている。熱交換器３１の背面側下方には、熱交換器３１からの結露水を受けるドレンパン３４が形成されている。送風ファン３２の下方は、熱交換された空気を吹出す吹出口５０になっている。
【００１７】
前側ケーシング４０は、空気調和装置の室内機１００の上面部分、左右の横面部分および正面部分を構成する。前側ケーシング４０は、背面ケーシング２０の前側にて内部部品３０を収容して取り囲む。前側ケーシング４０の上面には、上部吸込口６０が形成されている。前側ケーシング４０の前面には、前面吸込口７０が形成されている。前側ケーシング４０は、背面ケーシング２０に固定されている。前側ケーシング４０の固定方法については、後述する。
【００１８】
空気調和機の室内機１００は、吹出口５０に配置され、吹出口５０から吹出す風の向きを居住空間の高さ方向である上下方向に調整する第１上下風向板３５、第２上下風向板３６および第３上下風向板３７を備えている。
第１上下風向板３５は、湾曲した板状部材で構成されている。第１上下風向板３５は、運転時に第２上下風向板３６と第３上下風向板３７との間に位置する。第２上下風向板３６は、吹出口５０後方に配置される。第３上下風向板３７は、吹出口５０の前方に配置される。第３上下風向板３７は、第２上下風向板３６よりも小型である。第１上下風向板３５、第２上下風向板３６および第３上下風向板３７は、図示しない駆動用モータによって回動可能である。
【００１９】
空気調和装置の室内機１００は、送風ファン３２によって上部吸込口６０および前面吸込口７０から室内空気を吸い込む。吸い込まれた空気は、熱交換器３１によって熱交換されて冷気あるいは暖気となる。その冷気または暖気は、図示しない左右風向板並びに第１上下風向板３５、第２上下風向板３６および第３上下風向板３７が配置されている吹出口５０から室内へ送風される。
この時、左右風向板は、回動することで、送風ファン３２によって吹出す熱交換された空気の左右方向の風向を調整している。また、第１上下風向板３５、第２上下風向板３６および第３上下風向板３７は、回動することで、送風ファン３２によって吹出す熱交換された空気の上下方向の風向を調整している。
【００２０】
なお、ここでは熱交換器３１の下流側に送風ファン３２として横流ファンを備えた構成について説明する。しかし、送風ファンとしては、他のファン、たとえばプロペラファンを備えていてもよい。また、送風ファンとしては、熱交換器３１の上流側に他のファン、たとえばプロペラファンを備えている構成でもよい。
【００２１】
次に、空気調和装置の室内機１００の固定方法について説明する。
図３に示す裏板１０は、複数本のビスを用いて室内壁面に固定される。裏板１０の上端には、図示しない係止体が突出している。
背面ケーシング２０は、裏板１０の係止体に背面ケーシング２０の上縁を引っ掛ける。そして、背面ケーシング２０は、係止体に上縁が引っ掛けられた後、図示しない複数本のビスを用いて裏板１０に固定される。
内部部品３０は、熱交換器３１、送風ファン３２および電装箱を有し、裏板１０に固定された背面ケーシング２０の前側に取り付けられる。
【００２２】
さらに、前側ケーシング４０を背面ケーシング２０に固定する固定方法について説明する。
図４は、本発明の実施の形態に係る背面ケーシング２０および前側ケーシング４０を示す斜視図である。図５は、本発明の実施の形態に係る背面ケーシング２０および前側ケーシング４０を示す上面図である。図６は、本発明の実施の形態に係る背面ケーシング２０の固定爪２２を示す斜視図である。図７は、本発明の実施の形態に係る背面ケーシング２０の固定爪２２における図６のＸ−Ｘ断面を示す説明図である。図８は、本発明の実施の形態に係る前側ケーシング４０の爪受け４３を示す斜視図である。図９は、本発明の実施の形態に係る前側ケーシング４０の爪受け４３における図８のＹ−Ｙ断面を示す説明図である。図１０は、本発明の実施の形態に係る固定爪２２が爪受け４３に係止された状態の断面を図２のＡ部を拡大して示す説明図である。
【００２３】
図４、図５に示すように、背面ケーシング２０の上部には、前方に水平に突出する上壁２１が設けられている。上壁２１は、空気調和装置の室内機１００の左右両端部までの間にわたって設けられている。
図６、図７に示すように、背面ケーシング２０の上壁２１には、上壁２１の下面２１ａから下方に突出する複数の固定爪２２が設けられている。固定爪２２は、前方側に上部が下部よりも前方に存在する傾斜を有する。
固定爪２２は、上壁２１の前方縁部よりも後方に位置している。つまり、背面ケーシング２０の上壁２１は、固定爪２２よりも前方に前方部分２１ｂを有する。
【００２４】
図５、図８に示すように、前側ケーシング４０の上部には、後方に水平に突出して上壁２１の下に重ねられる重ね代部４１が設けられている。重ね代部４１は、空気調和装置の室内機１００の左右両端部までの間にわたって設けられている。
前側ケーシング４０は、重ね代部４１よりも前方に上部吸込口６０が形成された天面意匠パネル４２を有する。重ね代部４１は、天面意匠パネル４２に対して上壁２１の厚み分だけ１段段差を形成して下方に設けられている。
図５、図８、図９に示すように、前側ケーシング４０には、固定爪２２の下側から固定爪２２を係止する複数の爪受け４３が設けられている。爪受け４３は、重ね代部４１から後方に水平に突出している。爪受け４３は、中央にて固定爪２２を収容する収容凹部４３ａと、収容凹部４３ａの左右両側にて補強するリブ４３ｂと、を有する。爪受け４３の後方先端は、固定爪２２に接触したときに固定爪２２をガイドするように先細りしている。
【００２５】
前側ケーシング４０を背面ケーシング２０に取り付ける場合には、固定爪２２が爪受け４３に係止される。前側ケーシング４０の取り付け始めには、前側ケーシング４０が背面ケーシング２０側に水平移動される。この水平移動は、前側ケーシング４０の重ね代部４１が背面ケーシング２０の上壁２１の下方に重なるまで行われる。このように前側ケーシング４０を水平移動させると、背面ケーシング２０に取り付けられた内部部品３０を前側ケーシング４０内に収容することができる。
【００２６】
図１０に示すように、前側ケーシング４０の重ね代部４１が背面ケーシング２０の上壁２１に重なる場合には、爪受け４３が背面ケーシング２０の内側に進入し、固定爪２２が爪受け４３に係止される。固定爪２２および爪受け４３は、複数設けられることにより、前側ケーシング４０を支持することによる応力が分散されている。
上壁２１の上面２１ｃおよび天面意匠パネル４２の上面４２ａは、固定爪２２が爪受け４３に係止された際に、面一に構成されている。
【００２７】
ここで、背面ケーシング２０から前側ケーシング４０を取り外す場合には、前側ケーシング４０の下部が固定爪２２および爪受け４３の係止部を回動支点として回動される。これにより、前側ケーシング４０の爪受け４３が固定爪２２から外れる。その後、前側ケーシング４０が水平方向に引っ張るようにして離脱される。
【００２８】
すなわち、実施の形態によれば、背面ケーシング２０に対して前側ケーシング４０が前後に水平移動されることにより、背面ケーシング２０と前側ケーシング４０とを連結したり、離脱したりすることができる。
【００２９】
ここで、重ね代部４１に設けられた凹部４４について説明する。
図５、図８、図９、図１０に示すように、重ね代部４１における爪受け４３の前方には、上方に開口する凹部４４が形成されている。凹部４４は、開口形状が長方形である。凹部４４は、全周囲を重ね代部４１に囲まれている。凹部４４は、空気調和装置の室内機１００の寿命である１０年分の油あるいは溶剤を貯留できる十分な内部容量を有する。
図８に示すように、凹部４４は、爪受け４３の左右幅Ｌ１よりも広い左右幅Ｌ２を有する。すなわち、凹部４４の左右中心は、爪受け４３の左右中心と前後方向に延びる中心線で一致している。図８では、Ｙ−Ｙ断面のための一点鎖線が中心線に相当している。そして、凹部４４の左右幅Ｌ２は、爪受け４３の左右幅Ｌ１よりも広く、爪受け４３の全左右幅の前方に広がっている。
図２、図１０に示すように、凹部４４は、固定爪２２が爪受け４３に係止された際に、上壁２１の前方端縁２１ｄを前後方向にまたぐ前後幅を有する。これは、背面ケーシング２０と前側ケーシング４０との上端の合わせ部には、成形バラつきあるいは組立バラつきが存在するため、隙間８０が生じるためである。
ここで、重ね代部４１は、凹部４４以外の上面４１ａが水平面となっている。このため、重ね代部４１は、固定爪２２が爪受け４３に係止された際に、凹部４４の周囲を含み上面４１ａを上壁２１の下面２１ａに接触させて上壁２１の下に重ねられている。このため、凹部４４と爪受け４３との間には、上壁２１の下面２１ａに接触した重ね代部４１の縁部である上面４１ａが存在し、上壁２１と重ね代部４１とが密接する。
【００３０】
以上の構成によれば、背面ケーシング２０と前側ケーシング４０との上端の合わせ部に成形バラつきあるいは組立バラつきにより隙間８０が生じる。油あるいは溶剤がこの隙間８０から空気調和装置の室内機１００内に侵入する。しかし、侵入した油あるいは溶剤は、凹部４４に付着して貯留される。また、凹部４４と爪受け４３との間は、上壁２１の下面２１ａに接触した重ね代部４１の上面４１ａが存在し、上壁２１と重ね代部４１とが密接する。このため、凹部４４の油あるいは溶剤は、凹部４４からそれ以上爪受け４３側に侵入しない。これにより、侵入した油あるいは溶剤は、前側ケーシング４０を支持することによる応力がかかっている爪受け４３に到達しない。したがって、侵入する油あるいは溶剤によって爪受け４３に生じるクレージングが防止できる。
よって、空気調和装置の室内機１００が設置される場所は、爪受け４３のクレージングの影響を考慮する必要がない。空気調和装置の室内機１００が設置される場所は、たとえばすぐ近くにキッチンがあったり、その部屋で油あるいは溶剤を使うような所であったりする場合でもよく、設置場所を考慮する必要がなくなる。このように実施の形態によれば、信頼性の高い空気調和装置の室内機１００を得ることができる。
また、凹部４４は、前側ケーシング４０にて空気調和装置の室内機１００の左右両端部の間にわたる重ね代部４１に設けられ、凹部４４自体に応力がかかっていない。このため、油あるいは溶剤が凹部４４に付着して貯留されても、凹部４４のクレージングが発生しない。
【００３１】
以上、一実施の形態に基づいて本発明を説明した。しかし、本発明は、これに限定されるものではない。
たとえば、凹部４４の形状は、重ね代部４１から突出しなければ、爪受け４３の根元のみに形成されるものでもよい。ただし、凹部の形状は、空気調和装置の室内機１００の寿命である１０年分の油あるいは溶剤を貯留できる十分な内部容量を確保する必要がある。
また、固定爪２２および爪受け４３の形状は、上記実施の形態で用いた形状に限られず用いることができる。
【００３２】
以上の実施の形態によると、空気調和装置の室内機１００は、熱交換器３１および送風ファン３２を前側に取り付ける背面ケーシング２０を備えている。背面ケーシング２０の前側を取り囲む前側ケーシング４０を備えている。背面ケーシング２０の上部には、前方に突出する上壁２１が設けられる。前側ケーシング４０の上部には、後方に突出して上壁２１の下に重ねられる重ね代部４１が設けられる。背面ケーシング２０の上壁２１には、下面２１ａから下方に突出する固定爪２２が設けられる。前側ケーシング４０には、固定爪２２の下側から固定爪２２を係止する爪受け４３が設けられる。上壁２１は、固定爪２２よりも前方に前方部分２１ｂを有する。爪受け４３は、重ね代部４１から後方に突出する。重ね代部４１における爪受け４３の前方には、上方に開口する凹部４４が形成されている。
この構成によれば、重ね代部４１における爪受け４３の前方には、上方に開口する凹部４４が形成されている。これにより、背面ケーシング２０と前側ケーシング４０との上端の合わせ部に成形バラつきあるいは組立バラつきにより隙間８０が生じ、油あるいは溶剤がその隙間８０から侵入しても、油あるいは溶剤が凹部４４に付着して貯留される。そのため、侵入した油あるいは溶剤は、応力がかかっている爪受け４３に到達しない。したがって、侵入する油あるいは溶剤によって爪受け４３に生じるクレージングが防止できる。
よって、爪受け４３に生じるクレージングの影響を考慮する必要がなくなる。空気調和装置の室内機１００が設置される場所は、たとえばすぐ近くにキッチンがあったり、その部屋で油あるいは溶剤を使うような所であったりする場合でもよく、設置場所を考慮する必要がなくなる。
【００３３】
凹部４４は、固定爪２２が爪受け４３に係止された際に、上壁２１の前方端縁２１ｄを前後方向にまたぐ前後幅を有する。
この構成によれば、背面ケーシング２０と前側ケーシング４０との上端の合わせ部に成形バラつきあるいは組立バラつきにより隙間８０が生じ、凹部４４がその隙間８０に開口する。このため、油あるいは溶剤が隙間８０から侵入すると、侵入した油あるいは溶剤は、すぐに凹部４４に付着して貯留される。
【００３４】
凹部４４は、爪受け４３の左右幅Ｌ１よりも広い左右幅Ｌ２を有する。
この構成によれば、油あるいは溶剤が侵入する隙間８０の存在する爪受け４３の前方に爪受け４３よりも広い範囲で凹部４４が形成されている。このため、隙間８０から侵入した油あるいは溶剤は、凹部４４を回避して爪受け４３に到達することがない。よって、侵入した油あるいは溶剤は、応力がかかっている爪受け４３に確実に到達しない。
【００３５】
重ね代部４１は、固定爪２２が爪受け４３に係止された際に、上面４１ａを上壁２１の下面２１ａに接触させて上壁２１の下に重ねられる。
この構成によれば、隙間８０から侵入した油あるいは溶剤は、上壁２１の下面２１ａと重ね代部４１の上面４１ａとが接触しているので、凹部４４以外に侵入していかない。よって、侵入した油あるいは溶剤は、応力がかかっている爪受け４３に確実に到達しない。
【００３６】
上壁２１および重ね代部４１は、空気調和装置の室内機１００の左右両端部までの間にわたって設けられている。
この構成によれば、隙間８０から侵入する油あるいは溶剤が空気調和装置の室内機１００の左右両端部までの全幅で凹部４４以外に到達することが防止できる。
【００３７】
背面ケーシング２０および前側ケーシング４０は、非晶性プラスチックで成形されている。
この構成によれば、非晶性プラスチックは、応力がかかっているところに油あるいは溶剤が付着すると、プラスチック自身が持つ破断強度よりもはるかに低い応力で破壊するクレージングが発生する。しかし、隙間８０から侵入した油あるいは溶剤は、応力がかかっている爪受け４３に到達しない。したがって、侵入する油あるいは溶剤によって爪受け４３に生じるクレージングが防止できる。
【００３８】
固定爪２２および爪受け４３は、複数設けられ、前側ケーシング４０から受ける応力が分散される。
この構成によれば、応力がかかっている固定爪２２および爪受け４３が複数設けられるので、固定爪２２および爪受け４３の一つあたりにかかる応力を低減することができる。
【００３９】
前側ケーシング４０は、重ね代部４１よりも前方に天面意匠パネル４２を有する。重ね代部４１は、天面意匠パネル４２に対して上壁２１の厚み分だけ下方に設けられている。上壁２１の上面２１ｃおよび天面意匠パネル４２の上面４２ａは、固定爪２２が爪受け４３に係止された際に、面一に構成されている。
この構成によれば、背面ケーシング２０と前側ケーシング４０との上端の合わせ部に成形バラつきあるいは組立バラつきにより隙間８０が生じても、隙間８０が大きくなり難い。このため、油あるいは溶剤が空気調和装置の室内機１００内に浸入し難い。
また、空気調和装置の室内機１００は、上面に余計な凹凸がなくなり、意匠性が向上する。
【符号の説明】
【００４０】
１０  裏板、２０  背面ケーシング、２１  上壁、２１ａ  下面、２１ｂ  前方部分、２１ｃ  上面、２１ｄ  前方端縁、２２  固定爪、３０  内部部品、３１  熱交換器、３２  送風ファン、３３  ドレンパン、３４  ドレンパン、３５  第１上下風向板、３６  第２上下風向板、３７  第３上下風向板、４０  前側ケーシング、４１  重ね代部、４１ａ  上面、４２  天面意匠パネル、４２ａ  上面、４３  爪受け、４３ａ  収容凹部、４３ｂ  リブ、４４  凹部、５０  吹出口、６０  上部吸込口、７０  前面吸込口、８０  隙間、１００  室内機。
【図１】
2017126071.tif 000003
【図２】
2017126071.tif 000004
【図３】
2017126071.tif 000005
【図４】
2017126071.tif 000006
【図５】
2017126071.tif 000007
【図６】
2017126071.tif 000008
【図７】
2017126071.tif 000009
【図８】
2017126071.tif 000010
【図９】
2017126071.tif 000011
【図１０】
2017126071.tif 000012
【国際調査報告】
2017126071.tif 000013
2017126071.tif 000014